(57)【要約】【課題】複数の音を個別に設定する作業および設定データの送信に伴う送信負荷を軽減可能なＰＯＳ端末を提供する。【解決手段】ＰＯＳ端末は、定置スキャナユニット２０１と、ブザー音を表すブザー音データと定置スキャナユニット２０１の確認音を表す確認音データとからなるセットデータを複数種類と複数種類のセットデータのいずれかを指定する指定データを記憶する記憶装置１０２と、定置スキャナユニット２０１が商品情報を読み取った際に、指定データが指定するセットデータ内の確認音データに応じた確認音を出力する確認音出力部２７０と、キーボードユニット１３０と、少なくともキーボードユニット１３０が操作された際に指定データが指定するセットデータ内のブザー音データに応じたブザー音を出力するブザー音出力部１７０と、を含む。【選択図】図１
2008152710.tif 000002
【特許請求の範囲】
【請求項１】
商品情報を読み取るスキャナ部と、
ブザー音を表すブザー音データと前記スキャナ部の確認音を表す確認音データとからなるセットデータを複数種類記憶するセットデータ記憶部と、
前記複数種類のセットデータのいずれかを指定する指定データを記憶する指定データ記憶部と、
前記スキャナ部が前記商品情報を読み取った際に、前記指定データが指定するセットデータ内の確認音データに応じた確認音を出力する確認音出力部と、
操作部と、
少なくとも、前記操作部が操作された際に、前記指定データが指定するセットデータ内のブザー音データに応じたブザー音を出力するブザー音出力部と、を含むＰＯＳ端末。
【請求項２】
請求項１に記載のＰＯＳ端末において、
前記セットデータ記憶部は、奇数用の前記セットデータと偶数用の前記セットデータを記憶し、
前記指定データ記憶部は、前記指定データとして、自端末の番号を記憶し、
前記確認音出力部は、前記指定データ記憶部内の番号が奇数の状況で、前記スキャナ部が前記商品情報を読み取った際に、前記奇数用のセットデータ内の確認音データに応じた確認音を出力し、前記指定データ記憶部内の番号が偶数の状況で、前記スキャナ部が前記商品情報を読み取った際に、前記偶数用のセットデータ内の確認音データに応じた確認音を出力し、
前記ブザー音出力部は、前記指定データ記憶部内の番号が奇数の状況で、少なくとも、前記操作部が操作された際に、前記奇数用のセットデータ内のブザー音データに応じたブザー音を出力し、前記指定データ記憶部内の番号が偶数の状況で、少なくとも、前記操作部が操作された際に、前記偶数用のセットデータ内のブザー音データに応じたブザー音を出力する、ＰＯＳ端末。
【請求項３】
各々に番号が付与され番号順に並べられる複数のＰＯＳ端末と、前記複数のＰＯＳ端末を制御する制御装置と、を含むＰＯＳシステムであって、
前記ＰＯＳ端末のそれぞれは、
商品情報を読み取るスキャナ部と、
ブザー音を表すブザー音データと前記スキャナ部の確認音を表す確認音データとからなるセットデータを複数種類記憶するセットデータ記憶部と、
自端末の番号を記憶する番号記憶部と、
前記番号記憶部内の番号を前記制御装置に送信し、前記制御装置から、前記複数種類のセットデータのいずれかを指定する指定データを受け付ける制御部と、
前記スキャナ部が前記商品情報を読み取った際に、前記指定データが指定するセットデータ内の確認音データに応じた確認音を出力する確認音出力部と、
操作部と、
少なくとも、前記操作部が操作された際に、前記指定データが指定するセットデータ内のブザー音データに応じたブザー音を出力するブザー音出力部と、を含み、
前記制御装置は、
前記ＰＯＳ端末から前記番号を受け付けた場合、前記番号を送信したＰＯＳ端末における隣同士が、異なる前記指定データを有するように、前記番号を送信したＰＯＳ端末に前記指定データを割り付ける割付部と、
前記割付部にて割り付けられた指定データを、該指定データが割り付けられたＰＯＳ端末に送信する指定データ送信部と、を含む、ＰＯＳシステム。
【請求項４】
請求項３に記載のＰＯＳシステムにおいて、
前記セットデータ記憶部は、奇数用の前記セットデータと偶数用の前記セットデータとを記憶し、
前記割付部は、前記ＰＯＳ端末から受け付けた番号を順番に並べ、その番号に対して、前記指定データとして、奇数情報と偶数情報を交互に割り付け、
前記確認音出力部は、前記制御部が前記奇数情報を受け付けた状況で、前記スキャナ部が前記商品情報を読み取った際に、前記奇数用のセットデータ内の確認音データに応じた確認音を出力し、前記制御部が前記偶数情報を受け付けた状況で、前記スキャナ部が前記商品情報を読み取った際に、前記偶数用のセットデータ内の確認音データに応じた確認音を出力し、
前記ブザー音出力部は、前記制御部が前記奇数情報を受け付けた状況で、少なくとも、前記操作部が操作された際に、前記奇数用のセットデータ内のブザー音データに応じたブザー音を出力し、前記制御部が前記偶数情報を受け付けた状況で、少なくとも、前記操作部が操作された際に、前記偶数用のセットデータ内のブザー音データに応じたブザー音を出力する、ＰＯＳシステム。
【請求項５】
商品情報を読み取るスキャナ部と、ブザー音を表すブザー音データと前記スキャナ部の確認音を表す確認音データとからなるセットデータを複数種類記憶するセットデータ記憶部と、前記複数種類のセットデータのいずれかを指定する指定データを記憶する指定データ記憶部と、操作部と、を含むＰＯＳ端末が行う出力音設定方法であって、
前記スキャナ部が前記商品情報を読み取った際に、前記指定データが指定するセットデータ内の確認音データに応じた確認音を出力する確認音出力ステップと、
少なくとも、前記操作部が操作された際に、前記指定データが指定するセットデータ内のブザー音データに応じたブザー音を出力するブザー音出力ステップと、を含む出力音設定方法。
【請求項６】
請求項１に記載の出力音設定方法において、
前記セットデータ記憶部は、奇数用の前記セットデータと偶数用の前記セットデータを記憶し、
前記指定データ記憶部は、前記指定データとして、自端末の番号を記憶し、
前記確認音出力ステップでは、前記指定データ記憶部内の番号が奇数の状況で、前記スキャナ部が前記商品情報を読み取った際に、前記奇数用のセットデータ内の確認音データに応じた確認音を出力し、前記指定データ記憶部内の番号が偶数の状況で、前記スキャナ部が前記商品情報を読み取った際に、前記偶数用のセットデータ内の確認音データに応じた確認音を出力し、
前記ブザー音出力ステップでは、前記指定データ記憶部内の番号が奇数の状況で、少なくとも、前記操作部が操作された際に、前記奇数用のセットデータ内のブザー音データに応じたブザー音を出力し、前記指定データ記憶部内の番号が偶数の状況で、少なくとも、前記操作部が操作された際に、前記偶数用のセットデータ内のブザー音データに応じたブザー音を出力する、出力音設定方法。
【請求項７】
商品情報を読み取るスキャナ部とブザー音を表すブザー音データと前記スキャナ部の確認音を表す確認音データとからなるセットデータを複数種類記憶するセットデータ記憶部と自端末の番号を記憶する番号記憶部と操作部とを含み前記番号順に並べられる複数のＰＯＳ端末と、前記複数のＰＯＳ端末を制御する制御装置と、を含むＰＯＳシステムが行う出力音設定方法であって、
前記ＰＯＳ端末が、前記番号記憶部内の番号を前記制御装置に送信する番号送信ステップと、
前記制御装置が、前記ＰＯＳ端末から前記番号を受け付けた場合、前記番号を送信したＰＯＳ端末における隣同士が、異なるセットデータを指定する指定データを有するように、前記番号を送信したＰＯＳ端末に前記指定データを割り付ける割付ステップと、
前記制御装置が、前記割付部にて割り付けられた指定データを、該指定データが割り付けられたＰＯＳ端末に送信する指定データ送信ステップと、
前記ＰＯＳ端末が、前記指定データを受け付ける受付ステップと、
前記ＰＯＳ端末が、前記スキャナ部が前記商品情報を読み取った際に、前記指定データが指定するセットデータ内の確認音データに応じた確認音を出力する確認音出力ステップと、
前記ＰＯＳ端末が、少なくとも、前記操作部が操作された際に、前記指定データが指定するセットデータ内のブザー音データに応じたブザー音を出力するブザー音出力ステップと、を含む出力音設定方法。
【請求項８】
請求項７に記載の出力音設定方法において、
前記セットデータ記憶部は、奇数用の前記セットデータと偶数用の前記セットデータとを記憶し、
前記割付ステップでは、前記ＰＯＳ端末から受け付けた番号を順番に並べ、その番号に対して、前記指定データとして、奇数情報と偶数情報を交互に割り付け、
前記確認音出力ステップでは、前記奇数情報を受け付けた状況で、前記スキャナ部が前記商品情報を読み取った際に、前記奇数用のセットデータ内の確認音データに応じた確認音を出力し、前記偶数情報を受け付けた状況で、前記スキャナ部が前記商品情報を読み取った際に、前記偶数用のセットデータ内の確認音データに応じた確認音を出力し、
前記ブザー音出力ステップでは、前記奇数情報を受け付けた状況で、少なくとも、前記操作部が操作された際に、前記奇数用のセットデータ内のブザー音データに応じたブザー音を出力し、前記偶数情報を受け付けた状況で、少なくとも、前記操作部が操作された際に、前記偶数用のセットデータ内のブザー音データに応じたブザー音を出力する、出力音設定方法。
【発明の詳細な説明】
【技術分野】
【０００１】
本発明は、ＰＯＳ端末、ＰＯＳシステムおよび出力音設定方法に関する。
【背景技術】
【０００２】
通常、スーパーマーケットなどの量販店で使用されるＰＯＳシステムは、複数のＰＯＳ端末と、それらＰＯＳ端末を制御するストアコントローラとで構成されている。
【０００３】
ＰＯＳ端末は、商品に付けられたバーコードを定置スキャナ部で読み取るスキャナユニット部と、その読み取られたバーコードと予め登録された商品情報をもとに、金銭授受の支払い処理を実施するＰＯＳレジ制御部とで構成され、各ＰＯＳレジ制御部は、ストアコントローラと接続されている。
【０００４】
定置スキャナ部には、商品に貼り付けられたバーコードをスキャンした際に、バーコードを正しく読み取ったことを知らせるためのブザーユニットが組み込まれている。
【０００５】
また、ＰＯＳレジ制御部においては、キーの操作間違いや、プリンタのレシート用紙切れなどのハードウェアアラームを知らせるためのブザーユニットが組み込まれている。
【０００６】
また、スキャナユニット部には、ＰＯＳレジ制御部と同様にキークリック音、キーの操作間違い、ハードウェアアラームを知らせるためのブザーユニットが組み込まれている。
【０００７】
定置スキャナ部、ＰＯＳレジ制御部およびスキャナユニット部の各ブザーユニットは、独立して制御されており、それぞれのブザー音の変更は、それぞれのブザーユニットに設けられているボリュームスイッチなどを使用して個々に行われていた。
【０００８】
スーパーマーケット等の量販店において、ＰＯＳ端末が複数台設置されている場合、隣り合ったレーンのＰＯＳ端末が同時に操作される。
【０００９】
このため、隣り合ったＰＯＳ端末のブザー音が同じ周波数および音量であると、ＰＯＳ端末の操作者は、実際には、操作中のＰＯＳ端末が鳴動していなくても、隣のＰＯＳ端末が発生した音を、自分が操作中のＰＯＳ端末が発生した音と聞き間違える場合がある。
【００１０】
これを防止するために、ＰＯＳ端末の管理者は、ＰＯＳ端末の設置作業時などに、各ＰＯＳ端末のブザー音の周波数を適宜変更して、ＰＯＳ端末ごとに、ＰＯＳ端末のブザー音を異なるように設定していた。
【００１１】
定置スキャナ部では、専用の設定用のバーコードをスキャンさせて設定が変更されたり、または、定置スキャナ部に付いているボリュームスイッチの変更にて設定が変更され、また、ＰＯＳレジ制御部、スキャナユニット部では、ボリュームスイッチによって設定が変更されるのが、一般的であった。
【００１２】
特許文献１（特開平１０−１１３８０号公報）には、各ＰＯＳ端末の設定データを決定し、設定データを、その設定データに該当するＰＯＳ端末に送信するストアプロセッサが記載されている。
【００１３】
特許文献２（特開平７−７８２１９号公報）には、無線通信カードを用いて、スキャナ装置に設定データを送信する設定データ更新方法が記載されている。
【特許文献１】特開平１０−１１３８０号公報
【特許文献２】特開平７−７８２１９号公報
【発明の開示】
【発明が解決しようとする課題】
【００１４】
ＰＯＳ端末の管理者が、ＰＯＳレジ制御部、スキャナユニット部および定置スキャナ部のブザー音を手動で設定する場合、管理者は、ＰＯＳ端末を構成する複数の装置（ＰＯＳレジ制御部、スキャナユニット部および定置スキャナ部）の各ブザーを個別に設定しなければならない。
【００１５】
また、特許文献１および特許文献２に記載の装置では、ストアコントローラや無線通信カード等のデータ送信部が、ＰＯＳ端末の設定データ（例えば、音データ）を送信するため、設定データの送信に起因する処理負荷が大きくなる。
【００１６】
本発明の目的は、複数の音を個別に設定する作業および設定データの送信に伴う送信負荷を軽減可能なＰＯＳ端末、ＰＯＳシステムおよび出力音設定方法を提供することである。
【課題を解決するための手段】
【００１７】
上記目的を達成するため、本発明のＰＯＳ端末は、商品情報を読み取るスキャナ部と、ブザー音を表すブザー音データと前記スキャナ部の確認音を表す確認音データとからなるセットデータを複数種類記憶するセットデータ記憶部と、前記複数種類のセットデータのいずれかを指定する指定データを記憶する指定データ記憶部と、前記スキャナ部が前記商品情報を読み取った際に、前記指定データが指定するセットデータ内の確認音データに応じた確認音を出力する確認音出力部と、操作部と、少なくとも、前記操作部が操作された際に、前記指定データが指定するセットデータ内のブザー音データに応じたブザー音を出力するブザー音出力部と、を含む。
【００１８】
また、本発明の出力音設定方法は、商品情報を読み取るスキャナ部と、ブザー音を表すブザー音データと前記スキャナ部の確認音を表す確認音データとからなるセットデータを複数種類記憶するセットデータ記憶部と、前記複数種類のセットデータのいずれかを指定する指定データを記憶する指定データ記憶部と、操作部と、を含むＰＯＳ端末が行う出力音設定方法であって、前記スキャナ部が前記商品情報を読み取った際に、前記指定データが指定するセットデータ内の確認音データに応じた確認音を出力する確認音出力ステップと、少なくとも、前記操作部が操作された際に、前記指定データが指定するセットデータ内のブザー音データに応じたブザー音を出力するブザー音出力ステップと、を含む。
【００１９】
上記発明によれば、指定データに応じて、確認音とブザー音とが自動的に設定される。このため、複数の音を個別に設定する作業を軽減でき、また、確認音データとブザー音データとがＰＯＳ端末に送信されなくて済むため、データ送信の負荷を軽減することが可能になる。
【００２０】
なお、前記セットデータ記憶部は、奇数用の前記セットデータと偶数用の前記セットデータを記憶し、前記指定データ記憶部は、前記指定データとして、自端末の番号を記憶し、前記確認音出力部は、前記指定データ記憶部内の番号が奇数の状況で、前記スキャナ部が前記商品情報を読み取った際に、前記奇数用のセットデータ内の確認音データに応じた確認音を出力し、前記指定データ記憶部内の番号が偶数の状況で、前記スキャナ部が前記商品情報を読み取った際に、前記偶数用のセットデータ内の確認音データに応じた確認音を出力し、前記ブザー音出力部は、前記指定データ記憶部内の番号が奇数の状況で、少なくとも、前記操作部が操作された際に、前記奇数用のセットデータ内のブザー音データに応じたブザー音を出力し、前記指定データ記憶部内の番号が偶数の状況で、少なくとも、前記操作部が操作された際に、前記偶数用のセットデータ内のブザー音データに応じたブザー音を出力することが望ましい。
【００２１】
上記発明によれば、自装置の番号を、確認音とブザー音の切り替え用の情報として兼用できる。
【００２２】
また、本発明のＰＯＳシステムは、各々に番号が付与され番号順に並べられる複数のＰＯＳ端末と、前記複数のＰＯＳ端末を制御する制御装置と、を含むＰＯＳシステムであって、前記ＰＯＳ端末のそれぞれは、商品情報を読み取るスキャナ部と、ブザー音を表すブザー音データと前記スキャナ部の確認音を表す確認音データとからなるセットデータを複数種類記憶するセットデータ記憶部と、自端末の番号を記憶する番号記憶部と、前記番号記憶部内の番号を前記制御装置に送信し、前記制御装置から、前記複数種類のセットデータのいずれかを指定する指定データを受け付ける制御部と、前記スキャナ部が前記商品情報を読み取った際に、前記指定データが指定するセットデータ内の確認音データに応じた確認音を出力する確認音出力部と、操作部と、少なくとも、前記操作部が操作された際に、前記指定データが指定するセットデータ内のブザー音データに応じたブザー音を出力するブザー音出力部と、を含み、前記制御装置は、前記ＰＯＳ端末から前記番号を受け付けた場合、前記番号を送信したＰＯＳ端末における隣同士が、異なる前記指定データを有するように、前記番号を送信したＰＯＳ端末に前記指定データを割り付ける割付部と、前記割付部にて割り付けられた指定データを、該指定データが割り付けられたＰＯＳ端末に送信する指定データ送信部と、を含む。
【００２３】
また、本発明の出力音設定方法は、商品情報を読み取るスキャナ部とブザー音を表すブザー音データと前記スキャナ部の確認音を表す確認音データとからなるセットデータを複数種類記憶するセットデータ記憶部と自端末の番号を記憶する番号記憶部と操作部とを含み前記番号順に並べられる複数のＰＯＳ端末と、前記複数のＰＯＳ端末を制御する制御装置と、を含むＰＯＳシステムが行う出力音設定方法であって、前記ＰＯＳ端末が、前記番号記憶部内の番号を前記制御装置に送信する番号送信ステップと、前記制御装置が、前記ＰＯＳ端末から前記番号を受け付けた場合、前記番号を送信したＰＯＳ端末における隣同士が、異なるセットデータを指定する指定データを有するように、前記番号を送信したＰＯＳ端末に前記指定データを割り付ける割付ステップと、前記制御装置が、前記割付部にて割り付けられた指定データを、該指定データが割り付けられたＰＯＳ端末に送信する指定データ送信ステップと、前記ＰＯＳ端末が、前記指定データを受け付ける受付ステップと、前記ＰＯＳ端末が、前記スキャナ部が前記商品情報を読み取った際に、前記指定データが指定するセットデータ内の確認音データに応じた確認音を出力する確認音出力ステップと、前記ＰＯＳ端末が、少なくとも、前記操作部が操作された際に、前記指定データが指定するセットデータ内のブザー音データに応じたブザー音を出力するブザー音出力ステップと、を含む。
【００２４】
上記発明によれば、指定データに応じて、確認音とブザー音とが自動的に設定される。このため、複数の音を個別に設定する作業を軽減でき、また、確認音データとブザー音データとがＰＯＳ端末に送信されなくて済むため、データ送信の負荷を軽減することが可能になる。
【００２５】
また、番号を送信したＰＯＳ端末すなわち稼働中のＰＯＳ端末における隣同士が異なる指定データを有するため、稼働中のＰＯＳ端末間で異なる音を出力することが可能になる。
【００２６】
また、前記セットデータ記憶部は、奇数用の前記セットデータと偶数用の前記セットデータとを記憶し、
前記割付部は、前記ＰＯＳ端末から受け付けた番号を順番に並べ、その番号に対して、前記指定データとして、奇数情報と偶数情報を交互に割り付け、
前記確認音出力部は、前記制御部が前記奇数情報を受け付けた状況で、前記スキャナ部が前記商品情報を読み取った際に、前記奇数用のセットデータ内の確認音データに応じた確認音を出力し、前記制御部が前記偶数情報を受け付けた状況で、前記スキャナ部が前記商品情報を読み取った際に、前記偶数用のセットデータ内の確認音データに応じた確認音を出力し、
前記ブザー音出力部は、前記制御部が前記奇数情報を受け付けた状況で、少なくとも、前記操作部が操作された際に、前記奇数用のセットデータ内のブザー音データに応じたブザー音を出力し、前記制御部が前記偶数情報を受け付けた状況で、少なくとも、前記操作部が操作された際に、前記偶数用のセットデータ内のブザー音データに応じたブザー音を出力することが望ましい。
【００２７】
上記発明によれば、奇数と偶数を用いて、稼働中のＰＯＳ端末間で異なる音を出力することが可能になる。
【発明の効果】
【００２８】
本発明によれば、複数の音を個別に設定する作業および設定データの送信に伴う送信負荷を軽減することが可能になる。
【発明を実施するための最良の形態】
【００２９】
次に、本発明の実施例の構成について図面を参照して詳細に説明する。
【００３０】
図１は、本発明の第１の実施例のＰＯＳシステムを示したブロック図である。図１を参照すると、ＰＯＳシステムは、複数のＰＯＳレジ制御部１００と、複数のスキャナユニット部２００と、ストアコントローラ３００と、を含む。なお、ＰＯＳレジ制御部１００とスキャナユニット部２００とで、ＰＯＳ端末が構成される。
【００３１】
スキャナユニット部２００は、商品に付けられた商品情報（例えば、バーコード）を読み取り、商品情報の登録を制御する。ＰＯＳレジ制御部１００は、スキャナユニット部２００にて読み取られた商品情報と、予め登録された商品情報をもとに、精算処理を実施する。ストアコントローラ３００は、ＰＯＳレジ制御部１００と通信して、店舗の売り上げデータを管理する。
【００３２】
ＰＯＳレジ制御部１００とスキャナユニット部２００は、店舗に複数台設置され、これらの装置は、ＬＡＮ等の通信線を介して、ストアコントローラ３００に接続される。
【００３３】
ＰＯＳレジ制御部１００は、ＣＰＵ１０１、記憶装置１０２、ＲＡＭ１０３、ＩＯインターフェイス部１０４、ディスプレイユニット１１０、タッチパネルユニット１２０、キーボードユニット１３０、スキャナユニット１４０、ブザー制御部１５０、および、ブザー１６０を含む。
【００３４】
なお、ブザー制御部１５０とブザー１６０とで、ブザー音出力部１７０を構成する。
【００３５】
スキャナユニット部２００は、インターフェイス部２１０、定置スキャナユニット２０１、ディスプレイユニット２０２、キーボードユニット２０３、タッチパネルユニット２０４、ブザー制御部２２０、ブザー２３０、スキャナブザー２４０、および、スキャナブザー制御部２５０を含む。
【００３６】
なお、ブザー制御部２２０とブザー２３０とで、ブザー音出力部２６０を構成し、スキャナブザー２４０とスキャナブザー制御部２５０とで、確認音出力部２７０を構成し、定置スキャナユニット２０１とスキャナブザー２４０とスキャナブザー制御部２５０とで、定置スキャナユニット部２８０を構成する。
【００３７】
ストアコントローラ３００は、ストアコントローラ３００の動作を規定するプログラムを記憶する記憶装置３００ａと、メモリ３００ｂと、記憶装置３００ａ内のプログラムを読み取り実行して、メモリ３００ｃを使いながら種々の動作を制御するＣＰＵ３００ｃと、を含む。
【００３８】
ＰＯＳレジ制御部１００のＣＰＵ１０１は、演算回路を内蔵し、各種入力データに基づいて、所定の演算処理を行う。ＣＰＵ１０１は、記憶装置１０２、ＲＡＭ１０３、および、インターフェイス部１０４を制御する。
【００３９】
記憶装置１０２は、ＯＳやアプリケーションソフトなどの固定のデータを記憶する。
【００４０】
また、記憶装置１０２は、セットデータ記憶部の一例でもあり、ＰＯＳレジ制御部１００、スキャナユニット部２００および定置スキャナユニット部２８０のブザーデータとして、複数種類のセットデータ、例えば、２種類のセットデータを記憶している。
【００４１】
各セットデータは、ブザー制御部１５０用のＰＯＳレジブザー音データと、ブザー制御部２２０用のスキャナユニットブザー音データと、スキャナブザー制御部２５０用の定置スキャナブザーデータ（確認音データ）とを含み、ＰＯＳレジブザー音データ同士、スキャナユニットブザー音データ同士、および、定置スキャナブザーデータ同士は、各セットデータ間で異なる。
【００４２】
図２は、複数のセットデータの一例を示した説明図である。
【００４３】
図２では、複数のセットデータとして、奇数レジブザーデータ２Ａと、偶数レジブザーデータ２Ｂとが示されている。
【００４４】
図２に示したとおり、ＰＯＳレジブザー音データ（周波数と音量）同士、スキャナユニットブザー音データ（周波数と音量）同士、および、定置スキャナブザーデータ（周波数と音量）同士は、各セットデータ間で異なる。
【００４５】
また、記憶装置１０２は、指定データ記憶部の一例でもあり、指定データの一例であるＰＯＳレジ番号を記憶する。なお、ＰＯＳレジ番号は、ＲＡＭ１０３に記憶されてもよい。
【００４６】
図３は、記憶装置１０２に記憶されるデータの一例を示した説明図である。
【００４７】
図３において、記憶装置１０２には、アプリケーションソフト１０２ａと、ＰＯＳレジ番号１０２ｂと、奇数レジブザーデータ（セットデータ）２Ａと、偶数レジブザーデータ（セットデータ）２Ｂとが記憶されている。
【００４８】
図１に戻って、ＲＡＭ１０３は、プログラムや価格情報などの各種情報、各種入力データ、演算処理データなどの可変的データを更新自在に一時記憶する。なお、ＲＡＭ１０３には、複数のセットデータの中から選択されたセットデータを記憶するためのブザー情報メモリ１０３ａが形成される。
【００４９】
図４は、ＲＡＭ１０３の記憶領域の一例を示した説明図である。
【００５０】
図４において、ＲＡＭ１０３には、ブザー情報メモリ１０３ａと、ＰＯＳレジ番号を記憶するためのＰＯＳレジ番号記憶部１０３ｂとが設けられている。
【００５１】
図１に戻って、ＩＯインターフェイス部１０４は、入出力機器を制御する。
【００５２】
ブザー制御部１５０は、タッチパネルユニット１２０やキーボードユニット１３０等の操作部が操作された際、例えば、操作部の通常操作時や操作部が誤操作された際、および、レシート発行用のプリンタ（不図示）でのレシート用紙切れなどのハードウェアアラームが生じた際に、ブザー情報メモリ１０３ａ内のセットデータに含まれるＰＯＳレジブザー音データに応じたブザー音を、ブザー１６０から出力する。
【００５３】
よって、ブザー音出力部１７０は、少なくとも、タッチパネルユニット１２０やキーボードユニット１３０等の操作部が操作された際に、指定データが指定するセットデータ内のブザー音データに応じたブザー音を出力することとなる。
【００５４】
スキャナユニット部２００のインターフェイス部２１０は、ＰＯＳレジ制御部１００との入出力を管理する。
【００５５】
定置スキャナユニット２０１は、スキャナ部の一例であり、バーコード等の商品情報の読み取りを実施する。
【００５６】
ディスプレイユニット２０２は、登録された商品情報を表示する。
【００５７】
キーボードユニット２０３は、登録された商品の商品コードなど各種入力データを入力する。
【００５８】
ブザー制御部２２０は、タッチパネルユニット２０４やキーボードユニット２０３等の操作部が操作された際に、例えば、操作部の通常操作時や操作部が誤操作された際、および、ハードウェアアラームが生じた際に、ブザー情報メモリ１０３ａ内のセットデータに含まれるスキャナユニットブザー音データに応じたブザー音を、ブザー２３０から出力する。
【００５９】
よって、ブザー音出力部２６０は、少なくとも、タッチパネルユニット２０４やキーボードユニット２０３等の操作部が操作された際に、指定データが指定するセットデータ内のブザー音データに応じたブザー音を出力することとなる。
【００６０】
スキャナブザー制御部２５０は、ブザー情報メモリ１０３ａ内のセットデータに含まれる定置スキャナブザーデータを記憶する。なお、定置スキャナブザーデータは、ＣＰＵ１０１から提供される。
【００６１】
スキャナブザー制御部２５０は、定置スキャナユニット２０１がバーコードを読み取った際に、定置スキャナブザーデータに応じた確認音を。スキャナブザー２４０から出力する。
【００６２】
よって、確認音出力部２７０は、定置スキャナユニット２０１がバーコードを読み取った際に、指定データが指定するセットデータ内の確認音データに応じた確認音を出力することとなる。
【００６３】
なお、各ＰＯＳ端末は、ＰＯＳレジ番号順に並べられている。
【００６４】
次に、図１および図５のフローチャートを参照して本発明の第１の実施例の動作について詳細に説明する。
【００６５】
店舗にはＰＯＳレジ制御部１００が複数台設置されるので、ＰＯＳレジ制御部１００を識別するために、ＰＯＳレジ制御部１００にＰＯＳレジ番号を割り当てて管理するのが一般的である。
【００６６】
ＰＯＳレジ制御部１００のＣＰＵ１０１は、電源が投入されＰＯＳ端末が立ち上がると（ステップ５−０１）、記憶装置１０２内のプログラムを読み取り実行して、以下の処理を実行する。
【００６７】
まず、ＣＰＵ１０１は、ＲＡＭ１０３のクリアなどの初期処理を実行し（ステップ５−０２）、記憶装置１０２内にあるアプリケーションソフトを読み取り実行する。
【００６８】
以下では、ＰＯＳレジ番号が奇数か偶数かに基づいて、ＣＰＵ１０１がブザー音を設定する例を説明する。
【００６９】
ＣＰＵ１０１は、ＰＯＳレジ制御部１００の立ち上げ時に、記憶装置内１０２に格納されているＰＯＳレジ番号１０２ｂを読み取り（ステップ５−０３）、ＰＯＳレジ番号が偶数であるか、奇数であるかを確認する（ステップ５−０４）。
【００７０】
ＣＰＵ１０１は、ＰＯＳレジ番号が奇数であれば、記憶装置１０２内の奇数レジブザーデータ２Ａ（図２参照）を読み取り、奇数レジブザーデータ２ＡをＲＡＭ１０３のブザー情報メモリ１０３ａに格納し（ステップ５−０５）、一方、ＰＯＳレジ番号が偶数であれば偶数レジブザーデータ２Ｂを読み取り、偶数レジブザーデータ２Ｂをブザー情報メモリ１０３ａに格納する（ステップ５−０６）。
【００７１】
続いて、ＣＰＵ１０１は、立ち上げ処理の中で、以下の処理を実行する。
【００７２】
ＣＰＵ１０１は、ブザー情報メモリ１０３ａの中から、定置スキャナブザーデータを読み取る。
【００７３】
ＣＰＵ１０１は、その定置スキャナブザーデータを、定置スキャナユニット部２８０に対して、コマンドの形で送信する（ステップ５−０７）
定置スキャナユニット部２８０では、定置スキャナブザーデータが送信されてくると、スキャナブザー制御部２５０が、定置スキャナブザーデータを受信し、定置スキャナブザーデータに含まれるブザーの音量および周波数データをブザー情報として格納する。
【００７４】
操作者によって通常のＰＯＳレジ操作が実施されると以下のような処理が実行される。
【００７５】
まず、操作者は、顧客が購入した商品情報の登録を、スキャナユニット部２００を用いて実施する。
【００７６】
具体的には、操作者は、スキャナユニット部２００の定置スキャナユニット２０１を使用し、顧客が購入した商品に貼り付けられたバーコードをスキャンし、価格、商品名などの商品情報検索のキーとなるバーコードデータの登録を実施する。
【００７７】
この時に、定置スキャナユニット部２８０は、バーコードを認識すると、操作者および顧客にバーコードを認識したこと知らせるために、確認音出力部２７０を鳴動させる。
【００７８】
この際に、前述した処理によって、ＰＯＳレジ番号が偶数か奇数かによって割り振られた音量および周波数の定置スキャナブザーデータがスキャナブザー制御部２５０に格納されているため、偶数レジは偶数レジブザーデータに応じた音で、奇数レジは奇数レジブザーデータに応じた音で、確認音出力部２７０が鳴動する。
【００７９】
また、ＰＯＳレジ制御部１００では、ブザー制御部１５０は、例えば、タッチパネルユニット１２０やキーボードユニット１３０等の操作部が操作された際、ブザー情報メモリ１０３ａ内のセットデータに含まれるＰＯＳレジブザー音データ（周波数および音量）に応じた電流値を決定し、その電流値の駆動電流をブザー１６０に供給してブザー音を出力する。
【００８０】
また、スキャナユニット部２００では、ブザー制御部２２０は、例えば、タッチパネルユニット２０４やキーボードユニット２０３等の操作部が操作された際、ブザー情報メモリ１０３ａ内のセットデータに含まれるスキャナユニットブザー音データ（周波数および音量）に応じた電流値を決定し、その電流値の駆動電流をブザー２３０に供給してブザー音を出力する。
【００８１】
本実施例によれば、指定データであるＰＯＳレジ番号に応じて、定置スキャナユニット２０１の確認音と、ブザー音出力部１７０およびブザー音出力部２６０のブザー音とが自動的に設定される。
【００８２】
このため、複数の音を個別に設定する作業を軽減でき、また、確認音データとブザー音データとがＰＯＳ端末に送信されなくて済むため、データ送信の負荷を軽減することが可能になる。
【００８３】
また、本実施例では、指定データとしてＰＯＳレジ番号を用いているため、ＰＯＳレジ識別用のＰＯＳレジ番号を、確認音とブザー音の切り替え用の情報として兼用できる。
【００８４】
次に、本発明の第２の実施例について説明する。
【００８５】
前述の第１の実施例では、ＰＯＳレジ番号を用いて、ＰＯＳ端末を偶数レジと奇数レジに分けて確認音とブザー音を設定したが、複数のＰＯＳ端末が稼働する量販店での運用では、ＰＯＳレジ番号を有するすべてのＰＯＳ端末が使われず一部のＰＯＳ端末のみが使用される場合がある。
【００８６】
この場合には、偶数レジ、奇数レジで確認音とブザー音を分けると、同じ音を発するＰＯＳ端末が並んでしまう可能性がある。
【００８７】
第２の実施例は、この問題を解決可能なＰＯＳシステムである。
【００８８】
図６は、第２の実施例のＰＯＳシステムを示したブロック図である。図６において、図１に示したものと同一のものには同一符号を付してある。
【００８９】
以下では、第１の実施例と異なる点を中心に第２の実施例を説明する。
【００９０】
ＰＯＳレジ制御部１００のＣＰＵ１０１は、記憶装置１０２内のＰＯＳレジ番号をストアコントローラ３００に送信する。
【００９１】
ストアコントローラ（制御装置）３００のＣＰＵ３００ｃは、割付部３００ｃ１と、指定データ送信部３００ｃ２とを含む。
【００９２】
割付部３００ｃ１は、ＰＯＳ端末からＰＯＳレジ番号を受け付けた場合、ＰＯＳレジ番号を送信したＰＯＳ端末における隣同士が異なる指定データを有するように、ＰＯＳレジ番号を送信したＰＯＳ端末に指定データを割り付ける。
【００９３】
具体的には、割付部３００ｃ１は、ＰＯＳ端末から受け付けたＰＯＳレジ番号を順番（昇順または降順）に並べ、その番号に対して、指定データとして、奇数情報と偶数情報を交互に割り付ける。
【００９４】
指定データ送信部３００ｃ２は、割付部３００ｃ１にて割り付けられた指定データ（奇数情報、偶数情報）を、その指定データが割り付けられたＰＯＳ端末に送信する。
【００９５】
ＰＯＳレジ制御部１００のＣＰＵ１０１は、ストアコントローラ３００から指定データを受け付けた場合、その指定データにて指定されたセットデータを記憶装置１０２から読み出し、そのセットデータをＲＡＭ１０３のブザー情報メモリ１０３ａに記憶する。
【００９６】
次に、動作を説明する。
【００９７】
ＰＯＳレジ制御部１００のＣＰＵ（制御部）１０１は、電源が投入されＰＯＳ端末が立ち上がると、記憶装置１０２のプログラムを読み取り実行して、以下の処理を実行する。
【００９８】
まず、ＣＰＵ１０１は、ＲＡＭ１０３のクリアなどの初期処理を実行し、記憶装置１０２内にあるアプリケーションソフトを読み取り実行する。
【００９９】
ＣＰＵ１０１は、ＰＯＳレジ制御部１００の立ち上げ時に、記憶装置１０２に格納されているＰＯＳレジ番号１０２ｂを読み取り、そのＰＯＳレジ番号をストアコントローラ３００へ送信する。
【０１００】
ストアコントローラ３００のＣＰＵ３００ｃは、ＰＯＳレジ番号を受け付けると、現在どのＰＯＳ端末が稼働しているかを、図７に示すようなブザー音テーブルで管理する。
【０１０１】
割付部３００ｃ１は、図７に示すとおり、ＰＯＳレジ番号を昇順に並べ、使用中のＰＯＳ端末（すなわち、ＰＯＳレジ番号を送信したＰＯＳ端末）の番号に対して、奇数情報と偶数情報を交互に割り付ける。
【０１０２】
割付が終わったら、指定データ送信部３００ｃ２は、割付部３００ｃ１にて割り付けられた奇数情報または偶数情報を、その情報が割り付けられたＰＯＳ端末に送信する。
【０１０３】
ＰＯＳレジ制御部１００のＣＰＵ１０１は、ストアコントローラ３００から奇数情報を受け付けた場合、奇数レジブザーデータ２Ａを記憶装置１０２から読み出し、奇数レジブザーデータ２ＡをＲＡＭ１０３のブザー情報メモリ１０３ａに記憶し、ストアコントローラ３００から偶数情報を受け付けた場合、偶数レジブザーデータ２Ｂを記憶装置１０２から読み出し、偶数レジブザーデータ２ＢをＲＡＭ１０３のブザー情報メモリ１０３ａに記憶する。
【０１０４】
あとの動作は、前述の第１の実施例と同様である。
【０１０５】
本実施例によれば、指定データに応じて、確認音とブザー音とが自動的に設定されるため、複数の音を個別に設定する作業を軽減でき、また、確認音データとブザー音データとがＰＯＳ端末に送信されなくて済むため、データ送信の負荷を軽減することが可能になる。
【０１０６】
また、番号を送信したＰＯＳ端末すなわち稼働中のＰＯＳ端末における隣同士が異なる指定データを有するため、稼働中のＰＯＳ端末間で異なる音を出力することが可能になる。
【０１０７】
また、本実施例では、奇数と偶数を用いて、稼働中のＰＯＳ端末間で異なる音を出力することが可能になる。
【０１０８】
以上説明した各実施例において、図示した構成は単なる一例であって、本発明はその構成に限定されるものではない。
【０１０９】
例えば、セットデータおよび指定データの種類は、上記に限らず適宜変更可能である。
【産業上の利用可能性】
【０１１０】
本発明は、量販店などで使用されるＰＯＳレジスタにおけるＰＯＳシステムに適用可能である。
【図面の簡単な説明】
【０１１１】
【図１】本発明の第１の実施例のＰＯＳシステムを示したブロック図である。
【図２】複数のセットデータの一例を示した説明図である。
【図３】記憶装置１０２に記憶されるデータの一例を示した説明図である。
【図４】ＲＡＭ１０３の記憶領域の一例を示した説明図である。
【図５】本発明の第１の実施例の動作を説明するためのフローチャートである。
【図６】本発明の第２の実施例のＰＯＳシステムを示したブロック図である。
【図７】ブザー音テーブルの一例を示した説明図である。
【符号の説明】
【０１１２】
１００      ＰＯＳレジ制御部
１０１      ＣＰＵ
１０２      記憶装置
１０３      ＲＡＭ
１０４      インターフェイス部
１１０      ディスプレイユニット
１２０      タッチパネルユニット
１３０      キーボードユニット
１４０      スキャナユニット
１５０      ブザー制御部
２００      スキャナユニット部
２０１      定置スキャナユニット
２０２      ディスプレイユニット
２０３      キーボードユニット
２０４      タッチパネルユニット
２１０      インターフェイス部
２２０      ブザー制御部
２３０      スキャナブザー部
２３０ａ    確認音データ記憶部
２３０ｂ    確認音出力部
３００      ストアコントローラ
３００ａ    記憶装置
３００ｂ    メモリ
３００ｃ    ＣＰＵ
３００ｃ１  割付部
３００ｃ２  指定データ送信部
【図１】
2008152710.tif 000003
【図２】
2008152710.tif 000004
【図３】
2008152710.tif 000005
【図４】
2008152710.tif 000006
【図５】
2008152710.tif 000007
【図６】
2008152710.tif 000008
【図７】
2008152710.tif 000009